(57)【要約】      （修正有）【課題】効率的に通信を行う端末装置、該端末装置に用いられる通信方法、効率的に通信を行う基地局装置及び該基地局装置に用いられる通信方法を提供する。【解決手段】マッピングは、第１の集約レベルの探索領域に含まれる１または複数のＰＤＣＣＨ候補に少なくとも基づき、第２の集約レベルの探索領域に含まれる複数のＰＤＣＣＨ候補グループが与えられ、前記複数のＰＤＣＣＨ候補グループのそれぞれは、第１の集約レベルの探索領域に含まれる前記ＰＤＣＣＨ候補のそれぞれに対応する。【選択図】図６
2019047465.tif 000002
【特許請求の範囲】
【請求項１】
ＣＯＲＥＳＥＴにおいて、第１の集約レベルの第１の探索領域と第２の集約レベルの第２の探索領域においてＰＤＣＣＨをモニタする受信部を備え、
前記第１の集約レベルは、前記ＣＯＲＥＳＥＴに設定される集約レベルのセットの中の最大の集約レベルであり、
前記第２の集約レベルは、前記セットに含まれ、前記第１の集約レベルより小さい集約レベルであり、
前記第１の探索領域は、複数の第１のＰＤＣＣＨ候補を含み、
前記第２の探索領域は、複数の第２のＰＤＣＣＨ候補を含み、
前記複数の第２のＰＤＣＣＨ候補のそれぞれは、複数のＰＤＣＣＨ候補グループのいずれか一つに含まれ、
前記複数の第１のＰＤＣＣＨ候補のそれぞれは、ＣＯＲＥＳＥＴ内の複数のＣＣＥにマッピングされ、
前記複数のＰＤＣＣＨ候補グループの数は、前記複数の第１のＰＤＣＣＨ候補の数であり、
前記複数のＰＤＣＣＨ候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、
前記複数のＰＤＣＣＨ候補グループのそれぞれは、異なる前記第１のＰＤＣＣＨ候補に対応し、
前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である端末装置。
【請求項２】
前記複数のＰＤＣＣＨ候補グループのそれぞれに含まれる前記第２のＰＤＣＣＨ候補のそれぞれは、前記対応する第１のＰＤＣＣＨ候補を構成する前記複数のＣＣＥに分散してマッピングされる請求項１に記載の端末装置。
【請求項３】
前記複数の第１のＰＤＣＣＨ候補のそれぞれは、複数のＣＣＥに分散してマッピングされる請求項２に記載の端末装置。
【請求項４】
ＣＯＲＥＳＥＴにおいて、第１の集約レベルの第１の探索領域と第２の集約レベルの第２の探索領域においてＰＤＣＣＨを送信する送信部を備え、
前記第１の集約レベルは、前記ＣＯＲＥＳＥＴに設定される集約レベルのセットの中の最大の集約レベルであり、
前記第２の集約レベルは、前記セットに含まれ、前記第１の集約レベルより小さい集約レベルであり、
前記第１の探索領域は、複数の第１のＰＤＣＣＨ候補を含み、
前記第２の探索領域は、複数の第２のＰＤＣＣＨ候補を含み、
前記複数の第２のＰＤＣＣＨ候補のそれぞれは、複数のＰＤＣＣＨ候補グループのいずれか一つに含まれ、
前記複数の第１のＰＤＣＣＨ候補のそれぞれは、ＣＯＲＥＳＥＴ内の複数のＣＣＥにマッピングされ、
前記複数のＰＤＣＣＨ候補グループの数は、前記複数の第１のＰＤＣＣＨ候補の数であり、
前記複数のＰＤＣＣＨ候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、
前記複数のＰＤＣＣＨ候補グループのそれぞれは、異なる前記第１のＰＤＣＣＨ候補に
対応し、
前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である基地局装置。
【請求項５】
前記複数のＰＤＣＣＨ候補グループのそれぞれに含まれる前記第２のＰＤＣＣＨ候補のそれぞれは、前記対応する第１のＰＤＣＣＨ候補を構成する前記複数のＣＣＥに分散してマッピングされる請求項４に記載の基地局装置。
【請求項６】
前記複数の第１のＰＤＣＣＨ候補のそれぞれは、複数のＣＣＥに分散してマッピングされる請求項５に記載の基地局装置。
【請求項７】
端末装置に用いられる通信方法であって、
ＣＯＲＥＳＥＴにおいて、第１の集約レベルの第１の探索領域と第２の集約レベルの第２の探索領域においてＰＤＣＣＨをモニタするステップを備え、
前記第１の集約レベルは、前記ＣＯＲＥＳＥＴに設定される集約レベルのセットの中の最大の集約レベルであり、
前記第２の集約レベルは、前記セットに含まれ、前記第１の集約レベルより小さい集約レベルであり、
前記第１の探索領域は、複数の第１のＰＤＣＣＨ候補を含み、
前記第２の探索領域は、複数の第２のＰＤＣＣＨ候補を含み、
前記複数の第２のＰＤＣＣＨ候補のそれぞれは、複数のＰＤＣＣＨ候補グループのいずれか一つに含まれ、
前記複数の第１のＰＤＣＣＨ候補のそれぞれは、ＣＯＲＥＳＥＴ内の複数のＣＣＥにマッピングされ、
前記複数のＰＤＣＣＨ候補グループの数は、前記複数の第１のＰＤＣＣＨ候補の数であり、
前記複数のＰＤＣＣＨ候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、
前記複数のＰＤＣＣＨ候補グループのそれぞれは、異なる前記第１のＰＤＣＣＨ候補に対応し、
前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である通信方法。
【請求項８】
基地局装置に用いられる通信方法であって、
ＣＯＲＥＳＥＴにおいて、第１の集約レベルの第１の探索領域と第２の集約レベルの第２の探索領域においてＰＤＣＣＨを送信するステップを備え、
前記第１の集約レベルは、前記ＣＯＲＥＳＥＴに設定される集約レベルのセットの中の最大の集約レベルであり、
前記第２の集約レベルは、前記セットに含まれ、前記第１の集約レベルより小さい集約レベルであり、
前記第１の探索領域は、複数の第１のＰＤＣＣＨ候補を含み、
前記第２の探索領域は、複数の第２のＰＤＣＣＨ候補を含み、
前記複数の第２のＰＤＣＣＨ候補のそれぞれは、複数のＰＤＣＣＨ候補グループのいずれか一つに含まれ、
前記複数の第１のＰＤＣＣＨ候補のそれぞれは、ＣＯＲＥＳＥＴ内の複数のＣＣＥにマッピングされ、
前記複数のＰＤＣＣＨ候補グループの数は、前記複数の第１のＰＤＣＣＨ候補の数であ
り、
前記複数のＰＤＣＣＨ候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、
前記複数のＰＤＣＣＨ候補グループのそれぞれは、異なる前記第１のＰＤＣＣＨ候補に対応し、
前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔ
ｅｒｒｅｓｔｒｉａｌ  Ｒａｄｉｏ  Ａｃｃｅｓｓ」と称する。）が、第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において検討されている。ＬＴＥにおいて、基地局装置はｅＮｏｄｅＢ（ｅｖｏｌｖｅｄ  ＮｏｄｅＢ）、端末装置はＵＥ（Ｕｓｅｒ  Ｅｑｕｉｐｍｅｎｔ）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ＩＴＵ：  Ｉｎｔｅｒｎａｔｉｏｎａｌ  Ｔｅｌｅｃｏｍｍｕｎｉｃａｔｉｏｎ  Ｕｎｉｏｎ）が策定する次世代移動通信システムの規格であるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）―２０２０に提案するため、次世代規格（ＮＲ：  Ｎｅｗ  Ｒａｄｉｏ）の検討が行われている（非特許文献１）。ＮＲは、単一の技術の枠組みにおいて、ｅＭＢＢ（ｅｎｈａｎｃｅｄ  Ｍｏｂｉｌｅ  ＢｒｏａｄＢａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）の３つのシナリオを想定した要求を満たすことが求められている。
【先行技術文献】
【非特許文献】
【０００４】
【非特許文献１】"New SID proposal: Study on New Radio Access Technology", RP-160671, NTT docomo, 3GPP TSG RAN Meeting #71, Goteborg, Sweden, 7th - 10th March, 2016.
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、ＣＯＲＥＳＥＴにおいて、第１の集約レベルの第１の探索領域と第２の集約レベルの第２の探索領域においてＰＤＣＣＨをモニタする受信部を備え、前記第１の集約レベルは、前記ＣＯＲＥＳＥＴに設定される集約レベルのセットの中の最大の集約レベルであり、前記第２の集約レベルは、前記セットに含まれ、前記第１の集約レベルより小さい集約レベルであり、前記第１の探索領域は、複数の第１のＰＤＣＣＨ候補を含み、前記第２の探索領域は、複数の第２のＰＤＣＣＨ候補を含み、前記複数の第２のＰＤＣＣＨ候補のそれぞれは、複数のＰＤＣＣＨ候補グループのいずれか一つに含まれ、前記複数の第１のＰＤＣＣＨ候補のそれぞれは、ＣＯＲＥＳＥＴ内の複数のＣＣＥにマッピングされ、前記複数のＰＤＣＣＨ候補グループの数は、前記複数の第１のＰＤＣＣＨ候補の数であり、前記複数のＰＤＣＣＨ候補グループのそれぞれに含まれる前記第２のＰＤＣＣＨ候補の数は、前記複数の第１のＰＤＣＣＨ候補の数と前
記第２の探索領域に含まれる前記複数の第２のＰＤＣＣＨ候補の数に少なくとも基づき与えられて、前記複数のＰＤＣＣＨ候補グループのそれぞれは、異なる前記第１のＰＤＣＣＨ候補に対応し、前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である。
【０００７】
（２）本発明の第２の態様は、基地局装置であって、ＣＯＲＥＳＥＴにおいて、第１の集約レベルの第１の探索領域と第２の集約レベルの第２の探索領域においてＰＤＣＣＨを送信する送信部を備え、前記第１の集約レベルは、前記ＣＯＲＥＳＥＴに設定される集約レベルのセットの中の最大の集約レベルであり、前記第２の集約レベルは、前記セットに含まれ、前記第１の集約レベルより小さい集約レベルであり、前記第１の探索領域は、複数の第１のＰＤＣＣＨ候補を含み、前記第２の探索領域は、複数の第２のＰＤＣＣＨ候補を含み、前記複数の第２のＰＤＣＣＨ候補のそれぞれは、複数のＰＤＣＣＨ候補グループのいずれか一つに含まれ、前記複数の第１のＰＤＣＣＨ候補のそれぞれは、ＣＯＲＥＳＥＴ内の複数のＣＣＥにマッピングされ、前記複数のＰＤＣＣＨ候補グループの数は、前記複数の第１のＰＤＣＣＨ候補の数であり、前記複数のＰＤＣＣＨ候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、前記複数のＰＤＣＣＨ候補グループのそれぞれは、異なる前記第１のＰＤＣＣＨ候補に対応し、前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である。
【０００８】
（３）本発明の第３の態様は、端末装置に用いられる通信方法であって、ＣＯＲＥＳＥＴにおいて、第１の集約レベルの第１の探索領域と第２の集約レベルの第２の探索領域においてＰＤＣＣＨをモニタするステップを備え、前記第１の集約レベルは、前記ＣＯＲＥＳＥＴに設定される集約レベルのセットの中の最大の集約レベルであり、前記第２の集約レベルは、前記セットに含まれ、前記第１の集約レベルより小さい集約レベルであり、前記第１の探索領域は、複数の第１のＰＤＣＣＨ候補を含み、前記第２の探索領域は、複数の第２のＰＤＣＣＨ候補を含み、前記複数の第２のＰＤＣＣＨ候補のそれぞれは、複数のＰＤＣＣＨ候補グループのいずれか一つに含まれ、前記複数の第１のＰＤＣＣＨ候補のそれぞれは、ＣＯＲＥＳＥＴ内の複数のＣＣＥにマッピングされ、前記複数のＰＤＣＣＨ候補グループの数は、前記複数の第１のＰＤＣＣＨ候補の数であり、前記複数のＰＤＣＣＨ候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、前記複数のＰＤＣＣＨ候補グループのそれぞれは、異なる前記第１のＰＤＣＣＨ候補に対応し、前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である。
【０００９】
（４）本発明の第４の態様は、基地局装置に用いられる通信方法であって、ＣＯＲＥＳＥＴにおいて、第１の集約レベルの第１の探索領域と第２の集約レベルの第２の探索領域においてＰＤＣＣＨを送信するステップを備え、前記第１の集約レベルは、前記ＣＯＲＥＳＥＴに設定される集約レベルのセットの中の最大の集約レベルであり、前記第２の集約レベルは、前記セットに含まれ、前記第１の集約レベルより小さい集約レベルであり、前記第１の探索領域は、複数の第１のＰＤＣＣＨ候補を含み、前記第２の探索領域は、複数の第２のＰＤＣＣＨ候補を含み、前記複数の第２のＰＤＣＣＨ候補のそれぞれは、複数のＰＤＣＣＨ候補グループのいずれか一つに含まれ、前記複数の第１のＰＤＣＣＨ候補のそれぞれは、ＣＯＲＥＳＥＴ内の複数のＣＣＥにマッピングされ、前記複数のＰＤＣＣＨ候補グループの数は、前記複数の第１のＰＤＣＣＨ候補の数であり、前記複数のＰＤＣＣＨ
候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、前記複数のＰＤＣＣＨ候補グループのそれぞれは、異なる前記第１のＰＤＣＣＨ候補に対応し、前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である。
【発明の効果】
【００１０】
この発明によれば、端末装置は効率的に通信を行うことができる。また、基地局装置は効率的に通信を行うことができる。
【図面の簡単な説明】
【００１１】
【図１】本実施形態の一態様に係る無線通信システムの概念図である。
【図２】本実施形態の一態様に係るＮｓｌｏｔｓｙｍｂ、サブキャリア間隔の設定μ、スロット設定、および、ＣＰ設定の関係を示す一例である。
【図３】本実施形態の一態様に係るサブフレームにおけるリソースグリッドの一例を示す概略図である。
【図４】本実施形態の一態様に係る集約レベルＸＬ＝８、４、２、および、１のＰＤＣＣＨ候補の第１のマッピングの一例を示す図である。
【図５】本実施形態の一態様に係る集約レベルＸＬ＝８、４，２、および、１のＰＤＣＣＨ候補の第２のマッピングの一例を示す図である。
【図６】本実施形態の一態様に係る集約レベルＸＬ＝８、４、２、および、１のＰＤＣＣＨ候補の第３のマッピングの一例を示す図である。
【図７】本実施形態の一態様に係る集約レベルＸＬ＝８、４、２、および、１のＰＤＣＣＨ候補の第４のマッピングの一例を示す図である。
【図８】本実施形態の一態様に係る端末装置１の構成を示す概略ブロック図である。
【図９】本実施形態の一態様に係る基地局装置３の構成を示す概略ブロック図である。
【発明を実施するための形態】
【００１２】
以下、本発明の実施形態について説明する。
【００１３】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１４】
以下、フレーム構成について説明を行う。
【００１５】
本実施形態の一態様に係る無線通信システムにおいて、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）が少なくとも用いられる。ＯＦＤＭの時間領域の単位であるＯＦＤＭシンボルは、少なくとも１または複数のサブキャリア（ｓｕｂｃａｒｒｉｅｒ）を含み、ベースバンド信号生成において時間連続信号（ｔｉｍｅ−ｃｏｎｔｉｎｕｌｏｕｓ  ｓｉｇｎａｌ）に変換される。
【００１６】
サブキャリア間隔（ＳＣＳ：ＳｕｂＣａｒｒｉｅｒ  Ｓｐａｃｉｎｇ）は、サブキャリア間隔Δｆ＝２μ・１５ｋＨｚで与えられてもよい。例えば、μは０〜５の値のいずれかであってもよい。キャリアバンドパート（Ｃａｒｒｉｅｒ  ｂａｎｄｗｉｄｔｈ  ｐａｒｔ）のために、サブキャリア間隔の設定に用いられるμが上位層のパラメータ（サブキャリア間隔の設定μ）により与えられてもよい。
【００１７】
本実施形態の一態様に係る無線通信システムにおいて、時間領域の長さの表現のために時間単位（タイムユニット）Ｔｓが用いられる。時間単位Ｔｓは、Ｔｓ＝１／（Δｆｍａｘ・Ｎｆ）で与えられる。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。時間単位Ｔｓは、Ｔｓとも呼称される。定数κは、κ＝Δｆｍａｘ・Ｎｆ／（ΔｆｒｅｆＮｆ，ｒｅｆ）＝６４である。Δｆｒｅｆは、１５ｋＨｚであり、Ｎｆ，ｒｅｆは、２０４８である。
【００１８】
定数κは、参照サブキャリア間隔とＴｓの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００１９】
下りリンク送信、および／または、上りリンク送信は、１０ｍｓの長さのフレームにより構成される。フレームは、１０個のサブフレームを含んで構成される。サブフレームの長さは１ｍｓである。フレームの長さは、サブキャリア間隔Δｆに依存しない値であってもよい。つまり、フレームの設定はμに基づかずに与えられてもよい。サブフレームの長さは、サブキャリア間隔Δｆに依存しない値であってもよい。つまり、サブフレームの設定はμに基づかずに与えられてもよい。
【００２０】
サブキャリア間隔の設定μ（ｓｕｂｃａｒｒｉｅｒ  ｓｐａｃｉｎｇ  ｃｏｎｆｉｇｕｒａｔｉｏｎ）のために、サブフレームに含まれるスロットの数とインデックスが与えられてもよい。例えば、第１のスロット番号ｎμｓは、サブフレーム内において０からＮｓｕｂｆｒａｍｅ，μｓｌｏｔの範囲で昇順に与えられてもよい。サブキャリア間隔の設定μのために、フレームに含まれるスロットの数とインデックスが与えられてもよい。例えば、第２のスロット番号ｎμｓ，ｆは、フレーム内において０からＮｆｒａｍｅ，μｓｌｏｔの範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、スロット設定（ｓｌｏｔ
ｃｏｎｆｉｇｕｒａｔｉｏｎ）、および、ＣＰ（Ｃｙｃｌｉｃ  Ｐｒｅｆｉｘ）設定の一部または全部に少なくとも基づき与えられてもよい。スロット設定は、上位層のパラメータｓｌｏｔ＿ｃｏｎｆｉｇｕｒａｔｉｏｎにより与えられてもよい。ＣＰ設定は、上位層のパラメータに少なくとも基づき与えられてもよい。
【００２１】
図２は、本実施形態の一態様に係るＮｓｌｏｔｓｙｍｂ、サブキャリア間隔の設定μ、スロット設定、および、ＣＰ設定の関係を示す一例である。図２Ａにおいて、スロット設定が０であり、ＣＰ設定がノーマルＣＰ（ｎｏｒｍａｌ  ｃｙｃｌｉｃ  ｐｒｅｆｉｘ）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、スロット設定が０であり、ＣＰ設定が拡張ＣＰ（ｅｘｔｅｎｄｅｄ  ｃｙｃｌｉｃ  ｐｒｅｆｉｘ）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。スロット設定０におけるＮｓｌｏｔｓｙｍｂは、スロット設定１におけるＮｓｌｏｔｓｙｍｂの２倍に対応してもよい。
【００２２】
以下、物理リソースについて説明を行う。
【００２３】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（ｌａｒｇｅ  ｓｃａｌｅ  ｐｒｏｐｅｒｔｙ）が、もう一つのアンテナポートにおいてシンボルが伝達されるチャネルから推定できる場合、２つのアンテナポートは
ＱＣＬ（Ｑｕａｓｉ  Ｃｏ−Ｌｏｃａｔｅｄ）であると呼称される。大規模特性は、チャネルの長区間特性であってもよい。大規模特性は、遅延拡がり（ｄｅｌａｙ  ｓｐｒｅａｄ）、ドップラー拡がり（ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、平均遅延（ａｖｅｒａｇｅ  ｄｅｌａｙ）、および、ビームパラメータ（ｓｐａｔｉａｌ  Ｒｘ  ｐａｒａｍｅｔｅｒｓ）の一部または全部を少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることを想定してもよい。２つのアンテナポートがＱＣＬであることは、２つのアンテナポートがＱＣＬであることが想定されることであってもよい。
【００２４】
サブキャリア間隔の設定とキャリアのセットのそれぞれのために、ＮμＲＢ，ｘＮＲＢｓｃ個のサブキャリアとＮ（μ）ｓｙｍｂＮｓｕｂｆｒａｍｅ，μｓｙｍｂ個のＯＦＤＭシンボルのリソースグリッドが与えられる。ＮμＲＢ，ｘは、キャリアｘのためのサブキャリア間隔の設定μのために与えられるリソースブロック数を示してもよい。キャリアｘは下りリンクキャリアまたは上りリンクキャリアのいずれかを示す。つまり、ｘは“ＤＬ”、または、“ＵＬ”である。ＮμＲＢは、ＮμＲＢ，ＤＬ、および、ＮμＲＢ，ＵＬを含んだ呼称である。ＮＲＢｓｃは、１つのリソースブロックに含まれるサブキャリア数を示してもよい。アンテナポートｐごとに、および／または、サブキャリア間隔の設定μごとに、および／または、送信方向（Ｔｒａｎｓｍｉｓｓｉｎ  ｄｉｒｅｃｔｉｏｎ）の設定ごとに１つのリソースグリッドが与えられてもよい。送信方向は、少なくとも下りリンク（ＤＬ：ＤｏｗｎＬｉｎｋ）および上りリンク（ＵＬ：ＵｐＬｉｎｋ）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００２５】
第１の無線パラメータセットごとに与えられるリソースグリッドの中の各要素は、リソースエレメントと呼称される。リソースエレメントは周波数領域のインデックスｋと、時間領域のインデックスｌにより特定される。周波数領域のインデックスｋと時間領域のインデックスｌにより特定されるリソースエレメントは、リソースエレメント（ｋ、ｌ）とも呼称される。周波数領域のインデックスｋは、０からＮμＲＢＮＲＢｓｃ−１のいずれかの値を示す。ＮμＲＢはサブキャリア間隔の設定μのために与えられるリソースブロック数であってもよい。ＮＲＢｓｃは、リソースブロックに含まれるサブキャリア数であり、ＮＲＢｓｃ＝１２である。周波数領域のインデックスｋは、サブキャリアインデックスに対応してもよい。時間領域のインデックスｌは、ＯＦＤＭシンボルインデックスに対応してもよい。
【００２６】
図３は、本実施形態の一態様に係るサブフレームにおけるリソースグリッドの一例を示す概略図である。図３のリソースグリッドにおいて、横軸は時間領域のインデックスｌであり、縦軸は周波数領域のインデックスｋである。１つのサブフレームにおいて、リソースグリッドの周波数領域はＮμＲＢＮＲＢｓｃ個のサブキャリアを含み、リソースグリッドの時間領域は１４・２μ−１個のＯＦＤＭシンボルを含んでもよい。リソースブロックは、ＮＲＢｓｃ個のサブキャリアを含んで構成される。リソースブロックの時間領域は、
１ＯＦＤＭシンボルに対応してもよい。リソースブロックの時間領域は、１または複数のスロットに対応してもよい。リソースブロックの時間領域は、１つのサブフレームに対応してもよい。
【００２７】
端末装置は、リソースグリッドのサブセットのみを用いて送受信を行うことが指示されてもよい。リソースグリッドのサブセットは、キャリアバンドパートとも呼称され、キャリアバンドパートは上位層のパラメータにより与えられてもよい。つまり、端末装置は、リソースグリッドのすべてのセットを用いて送受信を行なうことが指示されなくてもよい。つまり、端末装置は、リソースグリッド内の一部のリソースを用いて送受信を行なうことが指示されてもよい。
【００２８】
上位層のパラメータは、上位層の信号に含まれるパラメータである。上位層の信号は、ＲＲＣ（Ｒａｄｉｏ  Ｒｅｓｏｕｒｃｅ  Ｃｏｎｔｒｏｌ）シグナリングであってもよいし、ＭＡＣ  ＣＥ（Ｍｅｄｉａ  Ａｃｅｓｓ  Ｃｏｎｔｒｏｌ  Ｃｏｎｔｒｏｌ  Ｅｌｅｍｅｎｔ）であってもよい。ここで、上位層の信号は、ＲＲＣ層の信号であってもよいし、ＭＡＣ層の信号であってもよい。
【００２９】
以下、本実施形態の種々の態様に係る物理チャネルおよび物理シグナルを説明する。
【００３０】
上りリンク物理チャネルは、上位層において発生する情報を運ぶリソースエレメントのセットに対応してもよい。上りリンク物理チャネルは、上りリンクにおいて用いられる物理チャネルである。本実施形態の一態様に係る無線通信システムにおいて、少なくとも下記の一部または全部の上りリンク物理チャネルが用いられる。
・ＰＵＣＣＨ（Ｐｈｙｓｉｃａｌ  Ｕｐｌｉｎｋ  Ｃｏｎｔｒｏｌ  ＣＨａｎｎｅｌ）
・ＰＵＳＣＨ（Ｐｈｙｓｉｃａｌ  Ｕｐｌｉｎｋ  Ｓｈａｒｅｄ  ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００３１】
ＰＵＣＣＨは、上りリンク制御情報（ＵＣＩ：Ｕｐｌｉｎｋ  Ｃｏｎｔｒｏｌ  Ｉｎｆｏｒｍａｔｉｏｎ）を送信するために用いられてもよい。上りリンク制御情報は、下りリンク物理チャネルのチャネル状態情報（ＣＳＩ：Ｃｈａｎｎｅｌ  Ｓｔａｔｅ  Ｉｎｆｏｒｍａｔｉｏｎ）、スケジューリングリクエスト（ＳＲ：Ｓｃｈｅｄｕｌｉｎｇ  Ｒｅｑｕｅｓｔ）、下りリンクデータ（ＴＢ：Ｔｒａｎｓｐｏｒｔ  ｂｌｏｃｋ、ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＤＬ−ＳＣＨ：Ｄｏｗｎｌｉｎｋ−Ｓｈａｒｅｄ  Ｃｈａｎｎｅｌ、ＰＤＳＣＨ：Ｐｈｙｓｉｃａｌ  Ｄｏｗｎｌｉｎｋ  Ｓｈａｒｅｄ  Ｃｈａｎｎｅｌ）に対するＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）の一部または全部を含む。ＨＡＲＱ−ＡＣＫは、下りリンクデータに対応するＡＣＫ（ａｃｋｎｏｗｌｅｄｇｅｍｅｎｔ）またはＮＡＣＫ（ｎｅｇａｔｉｖｅ−ａｃｋｎｏｗｌｅｄｇｅｍｅｎｔ）を示してもよい。
【００３２】
ＨＡＲＱ−ＡＣＫは、下りリンクデータに含まれる１または複数のＣＢＧ（Ｃｏｄｅ  Ｂｌｏｃｋ  Ｇｒｏｕｐ）のそれぞれに対応するＡＣＫまたはＮＡＣＫを示してもよい。ＨＡＲＱ−ＡＣＫを、ＨＡＲＱフィードバック、ＨＡＲＱ情報、ＨＡＲＱ制御情報、および、ＡＣＫ／ＮＡＣＫとも称する。
【００３３】
スケジューリングリクエストは、初期送信のためのＰＵＳＣＨ（ＵＬ−ＳＣＨ：Ｕｐｌｉｎｋ−Ｓｈａｒｅｄ  Ｃｈａｎｎｅｌ）リソースを要求するために少なくとも用いられてもよい。
【００３４】
チャネル状態情報（ＣＳＩ：Ｃｈａｎｎｅｌ  Ｓｔａｔｅ  Ｉｎｆｏｒｍａｔｉｏｎ）
は、チャネル品質指標（ＣＱＩ：  Ｃｈａｎｎｅｌ  Ｑｕａｌｉｔｙ  Ｉｎｄｉｃａｔｏｒ）とランク指標（ＲＩ：  Ｒａｎｋ  Ｉｎｄｉｃａｔｏｒ）を少なくとも含む。チャネル品質指標は、プレコーダ行列指標（ＰＭＩ：Ｐｒｅｃｏｄｅｒ  Ｍａｔｒｉｘ  Ｉｎｄｉｃａｔｏｒ）を含んでもよい。ＣＱＩは、チャネル品質（伝搬強度）に関連する指標であり、ＰＭＩは、プレコーダを指示する指標である。ＲＩは、送信ランク（または、送信レイヤ数）を指示する指標である。
【００３５】
ＰＵＳＣＨは、上りリンクデータ（ＴＢ、ＭＡＣ  ＰＤＵ、ＵＬ−ＳＣＨ、ＰＵＳＣＨ）を送信するために用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００３６】
ＰＲＡＣＨは、ランダムアクセスプリアンブル（ランダムアクセスメッセージ１）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンクデータの送信に対する同期（タイミング調整）、およびＰＵＳＣＨ（ＵＬ−ＳＣＨ）リソースの要求を示すために用いられる。ランダムアクセスプリアンブルは、端末装置１の上位層より与えられるインデックス（ランダムアクセスプリアンブルインデックス）を基地局装置３に通知するために用いられてもよい。
【００３７】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのサービングセル（ｓｅｒｖｉｎｇ  ｃｅｌｌ）において、複数のランダムアクセスプリアンブルが定義されてもよい。ランダムアクセスプリアンブルは、ランダムアクセスプリアンブルのインデックス少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００３８】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（ＵｐＬｉｎｋ  Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
・ＵＬ  ＰＴＲＳ（ＵｐＬｉｎｋ  Ｐｈａｓｅ  Ｔｒａｃｋｉｎｇ  Ｒｅｆｅｒｅｎｃｅ
Ｓｉｇｎａｌ）
【００３９】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵ
ＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００４０】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００４１】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。
【００４２】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Ｐｈｙｓｉｃａｌ  Ｂｒｏａｄｃａｓｔ  Ｃｈａｎｎｅｌ）
・ＰＤＣＣＨ（Ｐｈｙｓｉｃａｌ  Ｄｏｗｎｌｉｎｋ  Ｃｏｎｔｒｏｌ  Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）
【００４３】
ＰＢＣＨは、マスターインフォメーションブロック（ＭＩＢ：Ｍａｓｔｅｒ  Ｉｎｆｏｒｍａｔｉｏｎ  Ｂｌｏｃｋ、ＢＣＨ、Ｂｒｏａｄｃａｓｔ  Ｃｈａｎｎｅｌ）を送信するために用いられる。ＰＢＣＨは、所定の送信間隔に基づき送信されてもよい。例えば、ＰＢＣＨは、８０ｍｓの間隔で送信されてもよい。ＰＢＣＨに含まれる情報の中身は、８０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および、無線フレームの番号の少なくとも一部を指示する情報を含んでもよい。
【００４４】
ＰＤＣＣＨは、下りリンク制御情報（ＤＣＩ：Ｄｏｗｎｌｉｎｋ  Ｃｏｎｔｒｏｌ  Ｉｎｆｏｒｍａｔｉｏｎ）を送信するために用いられる。下りリンク制御情報は、ＤＣＩフォーマットとも呼称される。下りリンク制御情報は、下りリンクグラント（ｄｏｗｎｌｉｎｋ  ｇｒａｎｔ）または上りリンクグラント（ｕｐｌｉｎｋ  ｇｒａｎｔ）のいずれかを少なくとも含んでもよい。下りリンクグラントは、下りリンクアサインメント（ｄｏｗｎｌｉｎｋ  ａｓｓｉｇｎｍｅｎｔ）または下りリンク割り当て（ｄｏｗｎｌｉｎｋ  ａｌｌｏｃａｔｉｏｎ）とも呼称される。
【００４５】
１つの下りリンクグラントは、１つのサービングセル内の１つのＰＤＳＣＨのスケジューリングのために少なくとも用いられる。下りリンクグラントは、該下りリンクグラントが送信されたスロットと同じスロット内のＰＤＳＣＨのスケジューリングのために少なくとも用いられる。
【００４６】
１つの上りリンクグラントは、１つのサービングセル内の１つのＰＵＳＣＨのスケジューリングのために少なくとも用いられる。
【００４７】
１つの物理チャネルは、１つのサービングセルにマップされてもよい。１つの物理チャネルは、複数のサービングセルにマップされなくてもよい。
【００４８】
端末装置１は、ＰＤＣＣＨの探索のために、１または複数の制御リソースセットが設定される。端末装置１は、設定された制御リソースセットにおいてＰＤＣＣＨの受信を試みる。
【００４９】
制御リソースセットは、１つまたは複数のＰＤＣＣＨがマップされうる時間周波数領域を示してもよい。制御リソースセットは、端末装置１がＰＤＣＣＨの受信を試みる領域であってもよい。制御リソースセットは、連続的なリソース（Ｌｏｃａｌｉｚｅｄ  ｒｅｓｏｕｒｃｅ）により構成されてもよい。制御リソースセットは、非連続的なリソース（ｄｉｓｔｒｉｂｕｔｅｄ  ｒｅｓｏｕｒｃｅ）により構成されてもよい。
【００５０】
周波数領域において、制御リソースセットのマッピングの単位はリソースブロックであってもよい。時間領域において、制御リソースセットのマッピングの単位はＯＦＤＭシンボルであってもよい。
【００５１】
制御リソースセットの周波数領域は、サービングセルのシステム帯域幅と同一であってもよい。また、制御リソースセットの周波数領域は、サービングセルのシステム帯域幅に少なくとも基づき与えられてもよい。制御リソースセットの周波数領域は、上位層の信号、および／または、下りリンク制御情報に少なくとも基づき与えられてもよい。
【００５２】
制御リソースセットの時間領域は、上位層のパラメータに少なくとも基づき与えられてもよい。
【００５３】
制御リソースセットは、共通制御リソースセット（Ｃｏｍｍｏｎ  ｃｏｎｔｒｏｌ  ｒｅｓｏｕｒｃｅ  ｓｅｔ）および専用制御リソースセット（Ｄｅｄｉｃａｔｅｄ  ｃｏｎｔｒｏｌ  ｒｅｓｏｕｒｃｅ  ｓｅｔ）の一方または両方を少なくとも含んでもよい。共通制御リソースセットは、複数の端末装置１に対して共通に設定される制御リソースセットであってもよい。共通制御リソースセットは、ＭＩＢ、第１のシステム情報、第２のシステム情報、共通ＲＲＣシグナリング、および、セルＩＤの一部または全部に少なくとも基づき与えられてもよい。専用制御リソースセットは、端末装置１のために専用的に用いられるように設定される制御リソースセットであってもよい。専用制御リソースセットは、専用ＲＲＣシグナリング、および、Ｃ−ＲＮＴＩの値の一部または全部に少なくとも基づき与えられてもよい。
【００５４】
共通ＲＲＣシグナリングは、ＢＣＣＨ、および／または、ＣＣＣＨにマップされる上位層のパラメータを含むＲＲＣシグナリングであってもよい。共通ＲＲＣシグナリングは、ＭＩＢ、第１のシステム情報、および、第２のシステム情報の一部または全部に少なくとも基づき与えられるＲＲＣシグナリングであってもよい。専用ＲＲＣシグナリングは、ＤＣＣＨにマップされる上位層のパラメータを含むＲＲＣシグナリングであってもよい。
【００５５】
制御リソースセットに対して、１または複数の探索領域が設定されてもよい。制御リソースセットに設定される１または複数の探索領域は、あらかじめ定義されてもよい。共通制御リソースセットに設定される１または複数の探索領域は、あらかじめ定義されてもよい。制御リソースセットに設定される１または複数の探索領域は、上位層のパラメータに少なくとも基づき与えられてもよい。共通制御リソースセットに設定される１または複数
の探索領域は、共通ＲＲＣシグナリングに少なくとも基づき与えられてもよい。専用制御リソースセットに設定される１または複数の探索領域は、専用ＲＲＣシグナリングに少なくとも基づき与えられてもよい。
【００５６】
探索領域ごとに、集約レベル（ＡＬ：Ａｇｇｒｅｇａｔｉｏｎ  ｌｅｖｅｌ）が与えられてもよい。１つの探索領域は、１つの集約レベルに対応してもよい。集約レベルは、探索領域に含まれるＰＤＣＣＨ候補を構成するＣＣＥの数を示す値である。つまり、集約レベルＸの探索領域は、１または複数の該集約レベルＸのＰＤＣＣＨ候補を含んで構成されてもよい。
【００５７】
ＣＣＥは、６つのＲＥＧ（Ｒｅｓｏｕｒｃｅ  Ｅｌｅｍｅｎｔ  Ｇｒｏｕｐ）を含んで構成されるＰＤＣＣＨ候補の物理リソース割り当ての単位である。ＲＥＧは、１つのＰＲＢ（Ｐｈｙｓｉｃａｌ  Ｒｅｓｏｕｒｃｅ  Ｂｌｏｃｋ）の１つのＯＦＤＭシンボルとして定義される。
【００５８】
探索領域ごとに、ＰＤＣＣＨ候補の数が与えられてもよい。探索領域ごとのＰＤＣＣＨ候補の数は、あらかじめ定義されてもよい。探索領域ごとのＰＤＣＣＨ候補の数は、上位層のパラメータに少なくとも基づき与えられてもよい。共通制御リソースセットにおける探索領域ごとのＰＤＣＣＨ候補の数は、共通ＲＲＣシグナリングに少なくとも基づき与えられてもよい。共通制御リソースセットにおける探索領域ごとのＰＤＣＣＨ候補の数は、専用ＲＲＣシグナリングに少なくとも基づき与えられてもよい。専用制御リソースセットのＰＤＣＣＨ候補の数は、専用ＲＲＣシグナリングに少なくとも基づき与えられてもよい。
【００５９】
制御リソースセットに対して設定される探索領域の集約レベルのセットは、集約レベルセットとも呼称される。例えば、制御リソースセットに対して集約レベルＸＬ＝８、４、２、および、１の探索領域が設定されることは、制御リソースセットに集約レベルセットΦＸ＝｛８、４、２、１｝が設定されることであってもよい。制御リソースセットに対して設定される探索領域のそれぞれのＰＤＣＣＨ候補の数を含むセットは、ＰＤＣＣＨ候補セットとも呼称される。例えば、制御リソースセットに集約レベルセットΦＸ＝｛８、４、２、１｝が設定され、集約レベルＸＬ＝８の探索領域に含まれるＰＤＣＣＨ候補の数が２であり、集約レベルＸＬ＝４の探索領域に含まれるＰＤＣＣＨ候補の数が２であり、集約レベルＸＬ＝２の探索領域に含まれるＰＤＣＣＨ候補の数が６であり、集約レベルＸＬ＝１の探索領域に含まれるＰＤＣＣＨ候補の数が６であることは、制御リソースセットにＰＤＣＣＨ候補セットΦＮ＝｛２、２、６、６｝が設定される、とも呼称される。
【００６０】
図４は、本実施形態の一態様に係る集約レベルＸＬ＝８、４、２、および、１のＰＤＣＣＨ候補の第１のマッピングの一例を示す図である。図４において、制御リソースセットに含まれるＣＣＥの数は３２に設定されており、該ＣＣＥのそれぞれは、０から３１の番号（ＣＣＥ  ｉｎｄｅｘ、ＣＣＥインデックス）が付されている。図４（ａ）は、ＣＣＥインデックスが０から１５の範囲を示しており、図４（ｂ）は、ＣＣＥインデックスが１６から３１の範囲を示している。ＣＣＥインデックスは、ＣＣＥを特定するためのインデックスである。それぞれの集約レベルの探索領域は、それぞれの集約レベルに対応するＣＣＥの数により構成されるＰＤＣＣＨ候補を含む。図４において、集約レベルＸＬ＝８の探索領域に含まれるＰＤＣＣＨ候補の数Ｎ８は２であり、２つの該ＰＤＣＣＨ候補は、ｍ＝０、および、ｍ＝１により識別される。Ｌは、探索領域の集約レベルを示す。ＰＤＣＣＨ候補ｍは、所定の集約レベルにおけるＰＤＣＣＨ候補を識別するインデックスである。図４において、集約レベルＸＬ＝４の探索領域に含まれるＰＤＣＣＨ候補の数Ｎ４は２であり、２つの該ＰＤＣＣＨ候補は、ｍ＝０、および、ｍ＝１により識別される。図４において、集約レベルＸＬ＝２の探索領域に含まれるＰＤＣＣＨ候補の数Ｎ２は６であり、６
つの該ＰＤＣＣＨ候補は、ｍ＝０、ｍ＝１、ｍ＝２、ｍ＝３、ｍ＝４、および、ｍ＝５により識別される。図４において、集約レベルＸＬ＝１の探索領域に含まれるＰＤＣＣＨ候補の数Ｎ１は６であり、６つの該ＰＤＣＣＨ候補は、ｍ＝０、ｍ＝１、ｍ＝２、ｍ＝３、ｍ＝４、および、ｍ＝５により識別される。所定の探索領域に含まれるＰＤＣＣＨ候補のうち、ｍ番目のＰＤＣＣＨ候補は、ＰＤＣＣＨ候補ｍとも呼称される。
【００６１】
つまり、図４において、制御リソースセットに対して集約レベルセットΦＸ＝｛８、４、２、１｝、および、ＰＤＣＣＨ候補セットΦＮ＝｛２、２、６、６｝が設定されている。
【００６２】
図４に示されるように、１つのＰＤＣＣＨ候補がマッピングされるＣＣＥインデックスは、連続してもよい。例えば、集約レベルＸＬ＝８のＰＤＣＣＨ候補ｍ＝０は、ＣＣＥインデックス８からＣＣＥインデックス１５のＣＣＥにマッピングされている。また、図４に示されるように、ある集約レベルの探索領域に含まれるＰＤＣＣＨ候補は、連続してマッピングされてもよい。２つ以上のＰＤＣＣＨ候補が連続してマッピングされることは、２つ以上のＰＤＣＣＨ候補がマッピングされるＣＣＥインデックスが連続していることを示してもよい。
【００６３】
図４に示されるＰＤＣＣＨ候補の第１のマッピングのための第１の方法により、該ＰＤＣＣＨ候補がマッピングされるＣＣＥインデックスＳ（Ｌ）ｋは、以下の数式１に基づき与えられてもよい。
【数１】
2019047465.tif 000003
【００６４】
ここで、Ｌは探索領域の集約レベルであってもよい。Ｙｋは定数であってもよい。ＹｋはＵＥ固有の値に少なくとも基づき与えられてもよい。Ｙｋは０であってもよい。ｍは、探索領域に含まれるＰＤＣＣＨ候補のインデックスである。ＮＣＣＥは、制御リソースセットに含まれるＣＣＥの数である。ｉは、ｉ＝｛０，．．．，Ｌ−１｝であってもよい。ｍｏｄ（Ａ，Ｂ）は、ＡをＢで除算した余りを示す。ｆｌｏｏｒ（Ｃ）は、Ｃを上回らない範囲で最大の整数を示してもよい。ｆｌｏｏｒ（Ｃ）は床関数であってもよい。
【００６５】
図５は、本実施形態の一態様に係る集約レベルＸＬ＝８、４，２、および、１のＰＤＣＣＨ候補の第２のマッピングの一例を示す図である。図５において、制御リソースセットに含まれるＣＣＥの数は３２に設定されており、該ＣＣＥのそれぞれは、０から３１の番号（ＣＣＥ  ｉｎｄｅｘ、ＣＣＥインデックス）が付されている。図５（ａ）は、ＣＣＥインデックスが０から１５の範囲を示しており、図５（ｂ）は、ＣＣＥインデックスが１６から３１の範囲を示している。図５において、集約レベルＸＬ＝８の探索領域に含まれるＰＤＣＣＨ候補の数Ｎ８は２であり、２つの該ＰＤＣＣＨ候補は、ｍ＝０、および、ｍ＝１により識別される。図５において、集約レベルＸＬ＝４の探索領域に含まれるＰＤＣＣＨ候補の数Ｎ４は２であり、２つの該ＰＤＣＣＨ候補は、ｍ＝０、および、ｍ＝１により識別される。図５において、集約レベルＸＬ＝２の探索領域に含まれるＰＤＣＣＨ候補の数Ｎ２は６であり、６つの該ＰＤＣＣＨ候補は、ｍ＝０、ｍ＝１、ｍ＝２、ｍ＝３、ｍ＝４、および、ｍ＝５により識別される。図５において、集約レベルＸＬ＝１の探索領域に含まれるＰＤＣＣＨ候補の数Ｎ１は６であり、６つの該ＰＤＣＣＨ候補は、ｍ＝０、ｍ＝１、ｍ＝２、ｍ＝３、ｍ＝４、および、ｍ＝５により識別される。
【００６６】
つまり、図５において、制御リソースセットに対して集約レベルセットΦＸ＝｛８、４
、２、１｝、および、ＰＤＣＣＨ候補セットΦＮ＝｛２、２、６、６｝が設定されている。
【００６７】
図５に示されるように、ある集約レベルの探索領域に含まれるＰＤＣＣＨ候補は、分散してマッピングされてもよい。２つのＰＤＣＣＨ候補が分散してマッピングされることは、２つのＰＤＣＣＨ候補がマッピングされるＣＣＥインデックスが分散していることを示してもよい。第１のＰＤＣＣＨ候補と第２のＰＤＣＣＨ候補が分散してマッピングされることは、第１のＰＤＣＣＨ候補がマッピングされるＣＣＥインデックスの最小値と第２のＰＤＣＣＨ候補がマッピングされるＣＣＥインデックスの最大値が連続しておらず、および／または、第１のＰＤＣＣＨ候補がマッピングされるＣＣＥインデックスの最大値と第２のＰＤＣＣＨ候補がマッピングされるＣＣＥインデックスの最小値が連続していないことであってもよい。
【００６８】
ＰＤＣＣＨを送信する基地局装置３の観点から、ある集約レベルの複数のＰＤＣＣＨ候補が分散してマッピングされることは、該ＰＤＣＣＨの周波数選択スケジューリングを行うために少なくとも好適である。
【００６９】
図５に示されるＰＤＣＣＨ候補の第２のマッピングのための第２の方法により、該ＰＤＣＣＨ候補がマッピングされるＣＣＥインデックスＳ（Ｌ）ｋは、以下の数式２に基づき与えられてもよい。
【数２】
2019047465.tif 000004
【００７０】
ここで、ＮＬは、集約レベルＸＬ＝Ｌの探索領域に含まれるＰＤＣＣＨ候補の数である。ｂは、所定の値である。ｂは、キャリアアグリゲーションにおいて、サービングセルのインデックス（例えば、キャリアインディケータ）に基づき与えられてもよい。ｂは上位層のパラメータに基づき与えられてもよい。キャリアインディケータは、ＤＣＩに含まれるフィールドにより示されてもよい。キャリアインディケータの値は、サービングセルのインデックスに対応してもよい。
【００７１】
図５に示される一例では、ほとんどのＣＣＥインデックスに少なくとも１つのＰＤＣＣＨがマッピングされている。図５においてＰＤＣＣＨ候補がマッピングされていないＣＣＥインデックスはＣＣＥインデックス０と１６のみである。端末装置１は、ＰＤＣＣＨ候補のモニタリングにおいて、ＣＣＥインデックス０およびＣＣＥインデックス１６以外全てのＣＣＥインデックスに対応する物理リソースのチャネル推定、チャネル補償、復調を試みることが要求される。これは、端末装置１のＰＤＣＣＨ候補のモニタリングに係る付加が大きいことを意味している。例えば、周波数選択スケジューリングが好適に実施でき、かつ、端末装置１のＰＤＣＣＨ候補のモニタリングに係る付加軽減を図ることができるマッピングが望ましい。
【００７２】
以下、ＰＤＣＣＨ候補のマッピングのための第３のマッピングを説明する。
【００７３】
図６は、本実施形態の一態様に係る集約レベルＸＬ＝８、４、２、および、１のＰＤＣＣＨ候補の第３のマッピングの一例を示す図である。図６において、制御リソースセットに含まれるＣＣＥの数は３２に設定されており、該ＣＣＥのそれぞれは、０から３１の番号（ＣＣＥ  ｉｎｄｅｘ、ＣＣＥインデックス）が付されている。図６（ａ）は、ＣＣＥインデックスが０から１５の範囲を示しており、図６（ｂ）は、ＣＣＥインデックスが１
６から３１の範囲を示している。図６において、集約レベルＸＬ＝８の探索領域に含まれるＰＤＣＣＨ候補の数Ｎ８は２であり、２つの該ＰＤＣＣＨ候補は、ｍ＝０、および、ｍ＝１により識別される。図６において、集約レベルＸＬ＝４の探索領域に含まれるＰＤＣＣＨ候補の数Ｎ４は２であり、２つの該ＰＤＣＣＨ候補は、ｍ＝０、および、ｍ＝１により識別される。図６において、集約レベルＸＬ＝２の探索領域に含まれるＰＤＣＣＨ候補の数Ｎ２は６であり、６つの該ＰＤＣＣＨ候補は、ｍ＝０、ｍ＝１、ｍ＝２、ｍ＝３、ｍ＝４、および、ｍ＝５により識別される。図６において、集約レベルＸＬ＝１の探索領域に含まれるＰＤＣＣＨ候補の数Ｎ１は６であり、６つの該ＰＤＣＣＨ候補は、ｍ＝０、ｍ＝１、ｍ＝２、ｍ＝３、ｍ＝４、および、ｍ＝５により識別される。
【００７４】
つまり、図６において、制御リソースセットに対して集約レベルセットΦＸ＝｛８、４、２、１｝、および、ＰＤＣＣＨ候補セットΦＮ＝｛２、２、６、６｝が設定されている。
【００７５】
図６に示されるＰＤＣＣＨ候補の第３のマッピングは、集約レベルＸＬ＝８の探索領域に含まれるＰＤＣＣＨ候補が分散的に配置され、集約レベルＸＬ＜８の探索領域に含まれるＰＤＣＣＨ候補が集約レベルＸＬ＝８の探索領域のＰＤＣＣＨ候補がマッピングされるＣＣＥインデックスの範囲内にマッピングされていることを示している。
【００７６】
制御リソースセットに設定される探索領域に含まれるＰＤＣＣＨ候補の第３のマッピングにおいて、該制御リソースセットに設定される集約レベルセットΦＸのうち、最も大きい集約レベルＸｈｉｇｈｅｓｔの探索領域に含まれるＰＤＣＣＨ候補のマッピングは、該制御リソースセットに含まれるＣＣＥの数ＮＣＣＥに少なくとも基づき与えられてもよい。該最も大きい集約レベルＸｈｉｇｈｅｓｔの探索領域に含まれるＰＤＣＣＨ候補は、該制御リソースセットに含まれるＣＣＥのいずれかにマッピングされてもよい。該最も大きい集約レベルＸｈｉｇｈｅｓｔの探索領域に含まれるＰＤＣＣＨ候補のマッピングは、第１のマッピング、または、第２のマッピングに基づき与えられてもよい。
【００７７】
制御リソースセットに設定される探索領域に含まれるＰＤＣＣＨ候補の第３のマッピングにおいて、該制御リソースセットに設定される集約レベルセットΦＸのうち、最も大きい集約レベルＸｈｉｇｈｅｓｔとは異なる集約レベルＸｌｏｗｅｒの探索領域に含まれるＰＤＣＣＨ候補のそれぞれは、複数のＰＤＣＣＨ候補グループ（ＰＤＣＣＨグループ）のいずれかに含まれてもよい。ここで、該複数のＰＤＣＣＨ候補グループの数は、集約レベルＸｈｉｇｈｅｓｔの探索領域に含まれるＰＤＣＣＨ候補の数Ｎｈｉｇｈｅｓｔと等しくてもよい。ＰＤＣＣＨ候補グループのインデックスｇｉは、ｇｉ＝０，．．．，Ｎｈｉｇｈｅｓｔ−１の範囲の値であってもよい。インデックスｇｉのＰＤＣＣＨ候補グループは、ＰＤＣＣＨ候補グループｇｉとも呼称される。ＰＤＣＣＨ候補グループｇｉに含まれる１または複数のＰＤＣＣＨ候補の数Ｎｇｉは、集約レベルＸｈｉｇｈｅｓｔの探索領域に含まれるＰＤＣＣＨ候補の数Ｎｈｉｇｈｅｓｔと、集約レベルＸｌｏｗｅｒの探索領域に含まれるＰＤＣＣＨ候補の数Ｎｌｏｗｅｒに少なくとも基づき与えられてもよい。ＰＤＣＣＨ候補グループｇｉに含まれるＰＤＣＣＨ候補の数Ｎｇｉは、ｃｅｉｌ（Ｎｌｏｗｅｒ／Ｎｈｉｇｈｅｓｔ）、および／または、ｆｌｏｏｒ（Ｎｌｏｗｅｒ／Ｎｈｉｇｈｅｓｔ）に少なくとも基づき与えられてもよい。ｃｅｉｌ（Ｄ）は、Ｄを下回らない範囲で最小の整数を示してもよい。ｃｅｉｌ（Ｄ）は天井関数であってもよい。
【００７８】
集約レベルＸｈｉｇｈｅｓｔの探索領域に含まれるＰＤＣＣＨ候補ｍは、ＰＤＣＣＨ候補グループｇｉに対応してもよい。集約レベルＸｈｉｇｈｅｓｔの探索領域に含まれるＰＤＣＣＨ候補ｍは、ＰＤＣＣＨ候補グループｇｉに１対１に対応してもよい。
【００７９】
集約レベルＸｈｉｇｈｅｓｔの探索領域に含まれるＰＤＣＣＨ候補ｍ（集約レベルＸｈ
ｉｇｈｅｓｔの探索領域に含まれるＰＤＣＣＨ候補ｍ）がＰＤＣＣＨ候補グループｇｉに対応することは、ＰＤＣＣＨ候補グループｇｉに含まれる１または複数のＰＤＣＣＨ候補ｍｇｉのそれぞれがマッピングされるＣＣＥインデックスが、該ＰＤＣＣＨ候補ｍがマッピングされるＣＣＥインデックスに含まれることであってもよい。ＰＤＣＣＨ候補ｍｇｉは、ＰＤＣＣＨ候補グループｇｉに含まれるＰＤＣＣＨ候補を識別するインデックスである。
【００８０】
集約レベルＸｈｉｇｈｅｓｔの探索領域に含まれるＰＤＣＣＨ候補ｍがＰＤＣＣＨ候補グループｇｉに対応することは、該ＰＤＣＣＨ候補ｍがマッピングされるＣＣＥインデックスの最小値が、ＰＤＣＣＨ候補グループｇｉに含まれる少なくとも１つのＰＤＣＣＨ候補がマッピングされるＣＣＥインデックスの最小値と等しいことであってもよい。
【００８１】
該ＰＤＣＣＨ候補ｍｇｉのそれぞれは、該ＰＤＣＣＨ候補ｍがマッピングされるＣＣＥインデックスにおいて分散的にマッピングされてもよい。
【００８２】
該ＰＤＣＣＨ候補ｍは、制御リソースセットにおいて分散的にマッピングされてもよい。
【００８３】
集約レベルＸｈｉｇｈｅｓｔは、制御リソースセットに設定される集約レベルセットΦＸとＰＤＣＣＨ候補セットΦＮに少なくとも基づき与えられてもよい。集約レベルＸｈｉｇｈｅｓｔは、集約レベルセットΦＸに含まれる集約レベルのそれぞれのうち、対応するＰＤＣＣＨ候補の数が０ではない集約レベルの中の最大値であってもよい。０ではないことは１以上の整数であることであってもよい。つまり、実際の集約レベルセットΦＸ、ａｃｔｕａｌは、ＰＤＣＣＨ候補の数が０ではなく、かつ、集約レベルセットΦＸに含まれる集約レベルのセットとして与えられてもよい。また、集約レベルＸｈｉｇｈｅｓｔは、該実際の集約レベルセットΦＸ、ａｃｔｕａｌの最大値であってもよい。
【００８４】
例えば、制御リソースセットに対して、集約レベルセットΦＸ＝｛８、４、２、１｝、および、ＰＤＣＣＨ候補セットΦＮ＝｛２、２、６、６｝が設定された場合、集約レベルＸｈｉｇｈｅｓｔは８であってもよい。ここで、実際の集約レベルセットΦＸ、ａｃｔｕａｌは、ΦＸ、ａｃｔｕａｌ＝｛８、４、２、１｝であってもよい。
【００８５】
例えば、制御リソースセットに対して、集約レベルセットΦＸ＝｛８、４、２、１｝、および、ＰＤＣＣＨ候補セットΦＮ＝｛０、１、６、６｝が設定された場合、集約レベルＸｈｉｇｈｅｓｔは４であってもよい。ここで、実際の集約レベルセットΦＸ、ａｃｔｕａｌは、ΦＸ、ａｃｔｕａｌ＝｛４、２、１｝であってもよい。
【００８６】
例えば、制御リソースセットに対して、集約レベルセットΦＸ＝｛８、４、２、１｝、および、ＰＤＣＣＨ候補セットΦＮ＝｛０、４、６、６｝が設定された場合、集約レベルＸｈｉｇｈｅｓｔは４であってもよい。ここで、実際の集約レベルセットΦＸ、ａｃｔｕａｌは、ΦＸ、ａｃｔｕａｌ＝｛４、２、１｝であってもよい。
【００８７】
制御リソースセットに設定される探索領域に含まれるＰＤＣＣＨ候補の第３のマッピングのための第３の方法により、該ＰＤＣＣＨ候補がマッピングされるＣＣＥインデックスＳ（Ｌ）ｋは、以下の数式３に基づき与えられてもよい。
【数３】
2019047465.tif 000005
【００８８】
ここで、ＮＣＣＥ，ｍａｘは、ＮＣＣＥ，ｈｉｇｈｅｓｔであってもよい。ＮＣＣＥ，ｈｉｇｈｅｓｔは、集約レベルＸｈｉｇｈｅｓｔの探索領域に含まれるＰＤＣＣＨ候補がマッピングされるＣＣＥ数の総和であってもよい。例えばＮＣＣＥ，ｈｉｇｈｅｓｔ＝Ｘｈｉｇｈｅｓｔ×Ｎｈｉｇｈｅｓｔで与えられてもよい。Ｎｏｆｆは、以下の数式４に基づき与えられてもよい。
【数４】
2019047465.tif 000006
【００８９】
数式（３）は、数式（２）におけるＮＣＣＥをＮＣＣＥ，ｍａｘに変更している。ＮＣＣＥ，ｍａｘは、探索領域がマッピングされるＣＣＥインデックスの範囲を、集約レベルＸｈｉｇｈｅｓｔの探索領域に限定する効果がある。また、Ｎｏｆｆは、集約レベルＮｌｏｗｅｒの探索領域のＰＤＣＣＨ候補ｍ＝０がマッピングされるＣＣＥインデックスの最小値を、集約レベルＸｈｉｇｈｅｓｔの探索領域に含まれるＰＤＣＣＨ候補ｍ＝０がマッピングされるＣＣＥインデックスに関連させる効果がある。
【００９０】
図７は、本実施形態の一態様に係る集約レベルＸＬ＝８、４、２、および、１のＰＤＣＣＨ候補の第４のマッピングの一例を示す図である。図７において、制御リソースセットに含まれるＣＣＥの数は３２に設定されており、該ＣＣＥのそれぞれは、０から３１の番号（ＣＣＥ  ｉｎｄｅｘ、ＣＣＥインデックス）が付されている。図７（ａ）は、ＣＣＥインデックスが０から１５の範囲を示しており、図７（ｂ）は、ＣＣＥインデックスが１６から３１の範囲を示している。図７において、集約レベルＸＬ＝８の探索領域に含まれるＰＤＣＣＨ候補の数Ｎ８は１であり、該ＰＤＣＣＨ候補は、ｍ＝０により識別される。図７において、集約レベルＸＬ＝４の探索領域に含まれるＰＤＣＣＨ候補の数Ｎ４は２であり、２つの該ＰＤＣＣＨ候補は、ｍ＝０、および、ｍ＝１により識別される。図７において、集約レベルＸＬ＝２の探索領域に含まれるＰＤＣＣＨ候補の数Ｎ２は６であり、６つの該ＰＤＣＣＨ候補は、ｍ＝０、ｍ＝１、ｍ＝２、ｍ＝３、ｍ＝４、および、ｍ＝５により識別される。図７において、集約レベルＸＬ＝１の探索領域に含まれるＰＤＣＣＨ候補の数Ｎ１は６であり、６つの該ＰＤＣＣＨ候補は、ｍ＝０、ｍ＝１、ｍ＝２、ｍ＝３、ｍ＝４、および、ｍ＝５により識別される。
【００９１】
つまり、図７において、制御リソースセットに対して集約レベルセットΦＸ＝｛８、４、２、１｝、および、ＰＤＣＣＨ候補セットΦＮ＝｛１、２、６、６｝が設定されている。
【００９２】
図７に示される一例では、集約レベルＸｈｉｇｈｅｓｔ＝８の探索領域に含まれるＰＤＣＣＨ候補がマッピングされるＣＣＥの数の総和ＮＣＣＥ，ｈｉｇｈｅｓｔが、集約レベルＸＬ＝２の探索領域に含まれるＰＤＣＣＨ候補がマッピングされるＣＣＥの数の総和ＮＣＣＥ，２より小さい。ＮＣＣＥ，ｈｉｇｈｅｓｔ＜ＮＣＣＥ，２である場合、集約レベルＸＬ＝２の探索領域に含まれるＰＤＣＣＨ候補の全てを集約レベルＸｈｉｇｈｅｓｔ＝８の探索領域に含まれるＰＤＣＣＨ候補がマッピングされるＣＣＥの範囲にマッピングすることができない。
【００９３】
制御リソースセットに設定される探索領域に含まれるＰＤＣＣＨ候補の第４のマッピングにおいて、該制御リソースセットに設定される集約レベルセットΦＸのうち、最も大きい集約レベルＸｈｉｇｈｅｓｔの探索領域に含まれるＰＤＣＣＨ候補のマッピングは、該制御リソースセットに含まれるＣＣＥの数ＮＣＣＥに少なくとも基づき与えられてもよい
。該最も大きい集約レベルＸｈｉｇｈｅｓｔの探索領域に含まれるＰＤＣＣＨ候補のマッピングは、該制御リソースセットに含まれるＣＣＥのいずれかにマッピングされてもよい。
【００９４】
制御リソースセットに設定される探索領域に含まれるＰＤＣＣＨ候補の第４のマッピングにおいて、該制御リソースセットに設定される集約レベルセットΦＸのうち、最も大きい集約レベルＸｈｉｇｈｅｓｔ以外の集約レベルＸｌｏｗｅｒの探索領域に含まれるＰＤＣＣＨ候補のそれぞれは、複数のＰＤＣＣＨ候補グループのいずれかに含まれてもよい。ここで、集約レベルＸｈｉｇｈｅｓｔの探索領域に含まれるＰＤＣＣＨ候補がマッピングされるＣＣＥの数の総和ＮＣＣＥ，ｈｉｇｈｅｓｔが、集約レベルＸｌｏｗｅｒの探索領域に含まれるＰＤＣＣＨ候補がマッピングされるＣＣＥの数の総和ＮＣＣＥ，ｌｏｗｅｒより小さい場合（つまり、ＮＣＣＥ，ｈｉｇｈｅｓｔ＜ＮＣＣＥ，ｌｏｗｅｒである場合）、該複数のＰＤＣＣＨ候補グループの数は、少なくともＮＣＣＥ，ｌｏｗｅｒに基づき与えられてもよい。ＮＣＣＥ，ｈｉｇｈｅｓｔ＜ＮＣＣＥ，ｌｏｗｅｒである場合、該複数のＰＤＣＣＨ候補グループの数は、ｃｅｉｌ（ＮＣＣＥ，ｌｏｗｅｒ／Ｘｈｉｇｈｅｓｔ）に少なくとも基づき与えられてもよい。また、集約レベルＸｈｉｇｈｅｓｔの探索領域に含まれるＰＤＣＣＨ候補がマッピングされるＣＣＥの数の総和ＮＣＣＥ，ｈｉｇｈｅｓｔが、集約レベルＸｌｏｗｅｒの探索領域に含まれるＰＤＣＣＨ候補がマッピングされるＣＣＥの数の総和ＮＣＣＥ，ｌｏｗｅｒ以上である場合（つまり、ＮＣＣＥ，ｈｉｇｈｅｓｔ＞＝ＮＣＣＥ，ｌｏｗｅｒである場合）、該複数のＰＤＣＣＨ候補グループの数は、集約レベルＸｈｉｇｈｅｓｔの探索領域に含まれるＰＤＣＣＨ候補の数Ｎｈｉｇｈｅｓｔと等しくてもよい。つまり、該複数のＰＤＣＣＨ候補グループの数は、ＮＣＣＥ，ｈｉｇｈｅｓｔ、および／または、ＮＣＣＥ，ｌｏｗｅｒの値に少なくとも基づき与えられてもよい。
【００９５】
ＮＣＣＥ，ｈｉｇｈｅｓｔ＜ＮＣＣＥ，ｌｏｗｅｒである場合、該複数のＰＤＣＣＨ候補グループの数と該集約レベルＸｈｉｇｈｅｓｔの積が、ＮＣＣＥ，ｌｏｗｅｒ以上になるように該複数のＰＤＣＣＨ候補グループの数が与えられてもよい。
【００９６】
該ＰＤＣＣＨ候補グループの数は、あらかじめ定義された値、および／または、上位層のパラメータに少なくとも基づき与えられてもよい。ＮＣＣＥ，ｈｉｇｈｅｓｔ＜ＮＣＣＥ，ｌｏｗｅｒである場合、該ＰＤＣＣＨ候補グループの数は、あらかじめ定義された値、および／または、上位層のパラメータに少なくとも基づき与えられてもよい。
【００９７】
制御リソースセットに対して集約レベルセットΦＸ、および、ＰＤＣＣＨ候補セットΦＮが設定された場合、該複数のＰＤＣＣＨ候補グループの数は、集約レベルＸＬの探索領域に含まれるＰＤＣＣＨ候補がマッピングされるＣＣＥの数の総和ＮＣＣＥ，Ｌに少なくとも基づき与えられてもよい。集約レベルＸｈｉｇｈｅｓｔの探索領域に含まれるＰＤＣＣＨ候補がマッピングされるＣＣＥの数の総和ＮＣＣＥ，ｈｉｇｈｅｓｔが、ＮＣＣＥ，Ｌの最大値ＮＣＣＥ，ｍａｘより小さい場合（つまり、ＮＣＣＥ，ｈｉｇｈｅｓｔがＮＣＣＥ，ｍａｘとは異なる場合）、該複数のＰＤＣＣＨ候補グループの数は、集約レベルＸｈｉｇｈｅｓｔ、および、ＮＣＣＥ，ｍａｘに少なくとも基づき与えられてもよい。集約レベルＸｈｉｇｈｅｓｔの探索領域に含まれるＰＤＣＣＨ候補がマッピングされるＣＣＥの数の総和ＮＣＣＥ，ｈｉｇｈｅｓｔが、ＮＣＣＥ，Ｌの最大値ＮＣＣＥ，ｍａｘである場合、該複数のＰＤＣＣＨ候補グループの数は、Ｎｈｉｇｈｅｓｔと等しくてもよい。
【００９８】
集約レベルＸｌｏｗｅｒの探索領域に含まれるＰＤＣＣＨ候補グループｇｉに含まれるＰＤＣＣＨ候補のそれぞれが、対応する集約レベルＸｈｉｇｈｅｓｔの探索領域に含まれるＰＤＣＣＨ候補ｍがマッピングされるＣＣＥインデックス内で十分に分散するために、該ＰＤＣＣＨ候補グループｇｉに含まれるＰＤＣＣＨ候補の数が限定されてもよい。例え
ば、該ＰＤＣＣＨ候補グループｇｉに含まれるＰＤＣＣＨ候補の数の最大数Ｎｇｉ，ｍａｘが、上位層のパラメータ、および／または、あらかじめ定義された値に少なくとも基づき与えられてもよい。
【００９９】
つまり、ＰＤＣＣＨ候補グループｇｉに含まれるＰＤＣＣＨ候補の数は、ｍｉｎ（ｃｅｉｌ（Ｎｌｏｗｅｒ／Ｎｈｉｇｈｅｓｔ），Ｎｇｉ，ｍａｘ）、および／または、ｍｉｎ（ｆｌｏｏｒ（Ｎｌｏｗｅｒ／Ｎｈｉｇｈｅｓｔ），Ｎｇｉ，ｍａｘ）に少なくとも基づき与えられてもよい。ここで、ｍｉｎ（Ｅ，Ｆ）は、ＥとＦのうちの小さい値が出力される関数であってもよい。
【０１００】
また、例えば、該集約レベルＸｌｏｗｅｒの探索領域に含まれるＰＤＣＣＨ候補の数Ｎｌｏｗｅｒが、集約レベルＸｈｉｇｈｅｓｔ、該集約レベルＸｈｉｇｈｅｓｔの探索領域に含まれるＰＤＣＣＨ候補の数Ｎｈｉｇｈｅｓｔ、および、該集約レベルＸｌｏｗｅｒの一部または全部に少なくとも基づき与えられてもよい。
【０１０１】
共通制御リソースセットに設定される探索領域に含まれるＰＤＣＣＨ候補のマッピングにおいて、第１のマッピング、または、第２のマッピングが少なくとも用いられてもよい。専用制御リソースセットに設定される探索領域に含まれるＰＤＣＣＨ候補のマッピングにおいて、第３のマッピング、または、第４のマッピングが用いられてもよい。
【０１０２】
制御リソースセットに設定される共通探索領域に含まれるＰＤＣＣＨ候補のマッピングにおいて、第１のマッピング、または、第２のマッピングが少なくとも用いられてもよい。制御リソースセットに設定される専用探索領域に含まれるＰＤＣＣＨ候補のマッピングにおいて、第３のマッピング、または、第４のマッピングが用いられてもよい。
【０１０３】
ここで、共通探索領域は、１または複数の集約レベルの探索領域を含んで構成されてもよい。共通探索領域は、ＭＩＢ、第１のシステム情報、第２のシステム情報、共通ＲＲＣシグナリング、および、セルＩＤの一部または全部に少なくとも基づき与えられてもよい。また、専用探索領域は、１または複数の集約レベルの探索領域を含んで構成されてもよい。専用探索領域は、専用ＲＲＣシグナリング、および、Ｃ−ＲＮＴＩの値の一部または全部に少なくとも基づき与えられてもよい。
【０１０４】
ＰＤＳＣＨは、下りリンクデータ（ＤＬ−ＳＣＨ、ＰＤＳＣＨ）を送信するために用いられる。ＰＤＳＣＨは、ランダムアクセスメッセージ２（ランダムアクセスレスポンス）を送信するために少なくとも用いられる。ＰＤＳＣＨは、初期アクセスのために用いられるパラメータを含むシステム情報を送信するために少なくとも用いられる。
【０１０５】
ＰＤＳＣＨは、スクランブリング（Ｓｃｒａｍｂｌｉｎｇ）、変調（Ｍｏｄｕｌａｔｉｏｎ）、レイヤマッピング（ｌａｙｅｒ  ｍａｐｐｉｎｇ）、プレコーディング（ｐｒｅｃｏｄｉｎｇ）、および、物理リソースマッピング（Ｍａｐｐｉｎｇ  ｔｏ  ｐｈｙｓｉｃａｌ  ｒｅｓｏｕｒｃｅ）の一部または全部に少なくとも基づき与えられる。端末装置１は、スクランブリング、変調、レイヤマッピング、プレコーディング、および、物理リソースマッピングの一部または全部に少なくとも基づきＰＤＳＣＨが与えられると想定してもよい。
【０１０６】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（ＳＳ：Ｓｙｎｃｈｒｏｎｉｚａｔｉｏｎ  ｓｉｇｎａｌ）
・ＤＬ  ＤＭＲＳ（ＤｏｗｎＬｉｎｋ  ＤｅＭｏｄｕｌａｔｉｏｎ  Ｒｅｆｅｒｅｎｃｅ
Ｓｉｇｎａｌ）
・Ｓｈａｒｅｄ  ＲＳ（Ｓｈａｒｅｄ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）
・ＤＬ  ＰＴＲＳ（ＤｏｗｎＬｉｎｋ  Ｐｈａｓｅ  Ｔｒａｃｋｉｎｇ  Ｒｅｆｅｒｅｎｃｅ  Ｓｉｇｎａｌ）
・ＴＲＳ（Ｔｒａｃｋｉｎｇ  Ｒｅｆｅｒｅｎｃｅ  Ｓｉｇｎａｌ）
【０１０７】
同期信号は、端末装置１が下りリンクの周波数領域、および／または、時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）、および、ＳＳＳ（Ｓｅｃｏｎｄａｒｙ  Ｓｙｎｃｈｒｏｎｉｚａｔｉｏｎ  Ｓｉｇｎａｌ）を含む。
【０１０８】
ＳＳブロックは、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【０１０９】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、短にＰＢＣＨが送信されると呼称される。以下、ＰＤＣＣＨと、該ＰＤＣＣＨと関連するＤＬ  ＤＭＲＳが共に送信されることは、単にＰＤＣＣＨが送信されると呼称される。以下、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【０１１０】
Ｓｈａｒｅｄ  ＲＳは、少なくともＰＤＣＣＨの送信に関連してもよい。Ｓｈａｒｅｄ
ＲＳは、ＰＤＣＣＨに多重されてもよい。端末装置１は、ＰＤＣＣＨの伝搬路補正を行うためにＳｈａｒｅｄ  ＲＳを使用してよい。以下、ＰＤＣＣＨと、ＰＤＣＣＨと関連するＳｈａｒｅｄ  ＲＳが共に送信されることは、単にＰＤＣＣＨが送信されるとも呼称される。
【０１１１】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。一方、Ｓｈａｒｅｄ  ＲＳは、複数の端末装置１に共通に設定される参照信号であってもよい。Ｓｈａｒｅｄ  ＲＳの系列は、端末装置１に個別に設定されるパラメータとは関係なく与えられてもよい。例えば、Ｓｈａｒｅｄ
ＲＳの系列は、スロットの番号、ミニスロットの番号、および、セルＩＤ（ｉｄｅｎｔｉｔｙ）の少なくとも一部に基づいて与えられてもよい。Ｓｈａｒｅｄ  ＲＳは、ＰＤＣ
ＣＨ、および／または、ＰＤＳＣＨが送信されているか否かに関わらず送信される参照信号であってもよい。
【０１１２】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【０１１３】
ＰＴＲＳは、位相雑音の補償のために少なくとも用いられる信号であってもよい。端末装置によって想定されるＰＴＲＳのパターンは、上位層のパラメータ、および／または、ＤＣＩに少なくとも基づき与えられてもよい。
【０１１４】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループに含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【０１１５】
ＴＲＳは、時間、および／または、周波数の同期のために少なくとも用いられる信号であってもよい。端末装置によって想定されるＴＲＳのパターンは、上位層のパラメータ、および／または、ＤＣＩに少なくとも基づき与えられてもよい。
【０１１６】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１１７】
ＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルはトランスポートチャネルと呼称される。ＭＡＣ層で用いられるトランスポートチャネルの単位は、トランスポートブロック（ＴＢ）またはＭＡＣ  ＰＤＵとも呼称される。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【０１１８】
基地局装置３と端末装置１は、上位層（ｈｉｇｈｅｒ  ｌａｙｅｒ）において信号をやり取り（送受信）する。例えば、基地局装置３と端末装置１は、無線リソース制御（ＲＲＣ：  Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：  Ｒａｄｉｏ  Ｒｅｓｏｕｒｃｅ  Ｃｏｎｔｒｏｌ  ｍｅｓｓａｇｅ、ＲＲＣ  ｉｎｆｏｒｍａｔｉｏｎ：  Ｒａｄｉｏ  Ｒｅｓｏｕｒｃｅ  Ｃｏｎｔｒｏｌ  ｉｎｆｏｒｍａｔｉｏｎとも称される）を送受信してもよい。また、基地局装置３と端末装置１は、ＭＡＣ層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥは、上位層の信号（ｈｉｇｈｅｒ  ｌａｙｅｒ  ｓｉｇｎａｌｉｎｇ）とも呼称される。
【０１１９】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、または、ある端末装置１に対して専用のシグナリングを用いて送信されてもよい。ＵＥ固有な上位層のパラメータは、ある端末装置１に対して専用のシグナリングを用いて送信されてもよい。専用ＲＲＣシグナリングを含むＰＤＳＣＨは、第１の制御リソースセット内のＰＤＣＣＨによってスケジュールされてもよい。
【０１２０】
ＢＣＣＨ（Ｂｒｏａｄｃａｓｔ  Ｃｏｎｔｒｏｌ  ＣＨａｎｎｅｌ）、ＣＣＣＨ（Ｃｏｍｍｏｎ  Ｃｏｎｔｒｏｌ  ＣＨａｎｎｅｌ）、および、ＤＣＣＨ（Ｄｅｄｉｃａｔｅｄ
Ｃｏｎｔｒｏｌ  ＣＨａｎｎｅｌ）は、ロジカルチャネルである。例えば、ＢＣＣＨは、ＭＩＢを送信するために用いられる上位層のチャネルである。また、ＣＣＣＨ（Ｃｏｍｍｏｎ  Ｃｏｎｔｒｏｌ  Ｃｈａｎｎｅｌ）は、複数の端末装置１において共通な情報を送信するために用いられる上位層のチャネルである。ここで、ＣＣＣＨは、例えば、ＲＲＣ接続されていない端末装置１のために用いられる。また、ＤＣＣＨ（Ｄｅｄｉｃａｔｅｄ  Ｃｏｎｔｒｏｌ  Ｃｈａｎｎｅｌ）は、端末装置１に個別の制御情報（ｄｅｄｉｃａｔｅｄ  ｃｏｎｔｒｏｌ  ｉｎｆｏｒｍａｔｉｏｎ）を送信するために用いられる上位層のチャネルである。ここで、ＤＣＣＨは、例えば、ＲＲＣ接続されている端末装置１のために用いられる。
【０１２１】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１２２】
トランスポートチャネルにおけるＵＬ−ＳＣＨは、物理チャネルにおいてＰＵＳＣＨにマップされる。トランスポートチャネルにおけるＤＬ−ＳＣＨは、物理チャネルにおいてＰＤＳＣＨにマップされる。トランスポートチャネルにおけるＢＣＨは、物理チャネルにおいてＰＢＣＨにマップされる。
【０１２３】
以下、本実施形態の一態様に係る端末装置１の構成例を説明する。
【０１２４】
図８は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Ｒａｄｉｏ  Ｆｒｅｑｕｅｎｃｙ）部１２、および、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１２５】
上位層処理部１４は、ユーザーの操作等により生成された上りリンクデータ（トランスポートブロック）を、無線送受信部１０に出力する。上位層処理部１４は、ＭＡＣ層、パ
ケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、ＲＲＣ層の処理を行なう。
【０１２６】
上位層処理部１４が備える媒体アクセス制御層処理部１５は、ＭＡＣ層の処理を行う。
【０１２７】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０１２８】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化、ベースバンド信号生成（時間連続信号への変換）することによって送信信号を生成し、基地局装置３に送信する。
【０１２９】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１３０】
ベースバンド部１３は、ＲＦ部１２から入力されたアナログ信号をディジタル信号に変換する。ベースバンド部１３は、変換したディジタル信号からＣＰ（Ｃｙｃｌｉｃ  Ｐｒｅｆｉｘ）に相当する部分を除去し、ＣＰを除去した信号に対して高速フーリエ変換（ＦＦＴ：Ｆａｓｔ  Ｆｏｕｒｉｅｒ  Ｔｒａｎｓｆｏｒｍ）を行い、周波数領域の信号を抽出する。
【０１３１】
ベースバンド部１３は、データを逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）して、ＯＦＤＭシンボルを生成し、生成されたＯＦＤＭシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１３２】
ＲＦ部１２は、ローパスフィルタを用いてベースバンド部１３から入力されたアナログ信号から余分な周波数成分を除去し、アナログ信号を搬送波周波数にアップコンバート（ｕｐ  ｃｏｎｖｅｒｔ）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１３３】
以下、本実施形態の一態様に係る基地局装置３の構成例を説明する。
【０１３４】
図９は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１３５】
上位層処理部３４は、ＭＡＣ層、ＰＤＣＰ層、ＲＬＣ層、ＲＲＣ層の処理を行なう。
【０１３６】
上位層処理部３４が備える媒体アクセス制御層処理部３５は、ＭＡＣ層の処理を行う。
【０１３７】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１３８】
無線送受信部３０の機能は、無線送受信部１０と同様であるため説明を省略する。
【０１３９】
端末装置１が備える符号１０から符号１６が付された部のそれぞれは、回路として構成されてもよい。基地局装置３が備える符号３０から符号３６が付された部のそれぞれは、回路として構成されてもよい。
【０１４０】
以下、本実施形態の一態様に係る種々の装置の態様を説明する。
【０１４１】
（１）上記の目的を達成するために、本発明の態様は、以下のような手段を講じた。すなわち、本発明の第１の態様は、端末装置であって、ＣＯＲＥＳＥＴにおいて、第１の集約レベルの第１の探索領域と第２の集約レベルの第２の探索領域においてＰＤＣＣＨをモニタする受信部を備え、前記第１の集約レベルは、前記ＣＯＲＥＳＥＴに設定される集約レベルのセットの中の最大の集約レベルであり、前記第２の集約レベルは、前記セットに含まれ、前記第１の集約レベルより小さい集約レベルであり、前記第１の探索領域は、複数の第１のＰＤＣＣＨ候補を含み、前記第２の探索領域は、複数の第２のＰＤＣＣＨ候補を含み、前記複数の第２のＰＤＣＣＨ候補のそれぞれは、複数のＰＤＣＣＨ候補グループのいずれか一つに含まれ、前記複数の第１のＰＤＣＣＨ候補のそれぞれは、ＣＯＲＥＳＥＴ内の複数のＣＣＥにマッピングされ、前記複数のＰＤＣＣＨ候補グループの数は、前記複数の第１のＰＤＣＣＨ候補の数であり、前記複数のＰＤＣＣＨ候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、前記複数のＰＤＣＣＨ候補グループのそれぞれは、異なる前記第１のＰＤＣＣＨ候補に対応し、前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である。
【０１４２】
（２）また、本発明の第１の態様において、前記複数のＰＤＣＣＨ候補グループのそれぞれに含まれる前記第２のＰＤＣＣＨ候補のそれぞれは、前記対応する第１のＰＤＣＣＨ候補を構成する前記複数のＣＣＥに分散してマッピングされる。
【０１４３】
（３）また、本発明の第１の態様において、前記複数の第１のＰＤＣＣＨ候補のそれぞれは、複数のＣＣＥに分散してマッピングされる。
【０１４４】
（４）また、本発明の第２の態様は、基地局装置であって、ＣＯＲＥＳＥＴにおいて、第１の集約レベルの第１の探索領域と第２の集約レベルの第２の探索領域においてＰＤＣＣＨを送信する送信部を備え、前記第１の集約レベルは、前記ＣＯＲＥＳＥＴに設定される集約レベルのセットの中の最大の集約レベルであり、前記第２の集約レベルは、前記セ
ットに含まれ、前記第１の集約レベルより小さい集約レベルであり、前記第１の探索領域は、複数の第１のＰＤＣＣＨ候補を含み、前記第２の探索領域は、複数の第２のＰＤＣＣＨ候補を含み、前記複数の第２のＰＤＣＣＨ候補のそれぞれは、複数のＰＤＣＣＨ候補グループのいずれか一つに含まれ、前記複数の第１のＰＤＣＣＨ候補のそれぞれは、ＣＯＲＥＳＥＴ内の複数のＣＣＥにマッピングされ、前記複数のＰＤＣＣＨ候補グループの数は、前記複数の第１のＰＤＣＣＨ候補の数であり、前記複数のＰＤＣＣＨ候補グループのそれぞれに含まれる前記第２のＰＤＣＣＨ候補の数は、前記複数の第１のＰＤＣＣＨ候補の数と前記第２の探索領域に含まれる前記複数の第２のＰＤＣＣＨ候補の数に少なくとも基づき与えられて、前記複数のＰＤＣＣＨ候補グループのそれぞれは、異なる前記第１のＰＤＣＣＨ候補に対応し、前記複数のＰＤＣＣＨ候補グループに含まれる前記第２のＰＤＣＣＨ候補を構成するＣＣＥは、前記対応する第１のＰＤＣＣＨ候補を構成する複数のＣＣＥの一部である。
【０１４５】
（５）また、本発明の第２の態様において、前記複数のＰＤＣＣＨ候補グループのそれぞれに含まれる前記第２のＰＤＣＣＨ候補のそれぞれは、前記対応する第１のＰＤＣＣＨ候補を構成する前記複数のＣＣＥに分散してマッピングされる。
【０１４６】
（６）また、本発明の第２の態様において、前記複数の第１のＰＤＣＣＨ候補のそれぞれは、複数のＣＣＥに分散してマッピングされる。
【０１４７】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１４８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１４９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全
部を備えてもよい。装置グループとして、基地局装置３の一通りの各機能または各機能ブロックを有していればよい。また、上述した実施形態に関わる端末装置１は、集合体としての基地局装置と通信することも可能である。
【０１５２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１５３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１５４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１５５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１５６】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
【図１】
2019047465.tif 000007
【図２】
2019047465.tif 000008
【図３】
2019047465.tif 000009
【図４】
2019047465.tif 000010
【図５】
2019047465.tif 000011
【図６】
2019047465.tif 000012
【図７】
2019047465.tif 000013
【図８】
2019047465.tif 000014
【図９】
2019047465.tif 000015